(57)【特許請求の範囲】
【請求項１】
タッチ面と該タッチ面に対してタッチされた点の座標を光学的に検出する座標検出手段とを有するタッチパネルと、
前記タッチ面のタッチに使用され、先端が前記タッチ面に接触している間にタッチペン信号を出力する信号出力手段を有するタッチペンと、
前記信号出力手段によって出力された信号を受信する信号受信手段と、
前記信号受信手段が受信したタッチペン信号と前記座標検出手段が検出した座標とに基づいてディスプレイ画面に表示される内容を制御する表示制御手段と、を備えてなり、
前記表示制御手段は、前記信号受信手段が前記タッチペン信号の受信中に前記座標検出手段が検出した座標を有効とする一方、前記信号受信手段が前記タッチペン信号を受信していない間に前記座標検出手段が検出した座標を無効とするタッチペン制御モードで前記ディスプレイ画面の表示内容を制御し、所定の時間であるペンアウトタイム内に前記タッチペン信号が前記信号受信手段によって受信されない場合、前記信号受信手段による前記タッチペン信号の受信によらず前記座標検出手段が検出した座標を有効とする非タッチペン制御モードに移行することを特徴とするタッチパネル付きディスプレイ装置。
【請求項２】
さらに、前記ペンアウトタイムを調整するペンアウトタイム調整手段を有することを特徴とする請求項１に記載のタッチパネル付きディスプレイ装置。
【請求項３】
前記タッチペンがスイッチを有すると共に、前記スイッチの操作と同時に前記タッチペンの先端が前記タッチ面と接触した場合に前記信号出力手段が前記タッチペン信号と異なる信号を出力し、前記表示制御手段は、前記タッチペン信号と異なる信号が前記信号受信手段に受信された場合、前記座標検出手段によって検出された座標においてフォーカス操作が実行されたと判断することを特徴とする請求項１または２に記載のタッチパネル付きディスプレイ装置。
【請求項４】
前記スイッチを複数備え、複数のスイッチのうち少なくとも２つを同時に操作すると共に前記タッチペンの先端が前記タッチ面に接触した場合、前記表示制御手段は、前記ディスプレイ画面の制御モードを、前記座標検出手段によって検出された座標をすべて無効とするタッチパネル無効モードに設定する、または、前記タッチパネル無効モードを解除することを特徴とする請求項３に記載のタッチパネル付きディスプレイ装置。
【請求項５】
前記表示制御手段は、前記タッチパネル無効モードで前記ディスプレイ画面を制御しているとき、タッチパネル無効モードであることを示すメッセージを前記ディスプレイ画面に表示することを特徴とする請求項４に記載のタッチパネル付きディスプレイ装置。
【請求項６】
前記信号出力手段は、赤外線の信号を出力することを特徴とする請求項１〜５のいずれか一つに記載のタッチパネル付きディスプレイ装置。
【発明の詳細な説明】
【０００１】
【発明の属する技術分野】
本発明は、タッチパネル付きディスプレイ装置にかかり、特に専用のタッチペンを使ってタッチするタッチパネル付きディスプレイ装置に関する。
【０００２】
【従来の技術】
現在、タッチ面とタッチ面が指やペンに触れられた位置を座標として検出するタッチパネルと、タッチパネルで検出された座標の入力によって制御されるディスプレイ装置とを一体化して構成されるタッチパネル付きディスプレイ装置がある。また、タッチパネル付きディスプレイ装置に使用されるタッチパネルとして、光学的に座標を検出する光学式の座標検出装置を使用するものがある。
【０００３】
光学式座標検出器は、タッチ面の全域に光を照射し、照射された光を例えばＣＣＤ（Charge Coupled Device)といった受光素子で受光する。そして、受光素子がタッチ面に指やペンが接触したこと(タッチ)によって光が遮られたことを検出すると共に、タッチがなされた点（タッチ点）の座標を判断している。光学式座標検出器は、比較的簡易な構成でありながら高い精度でタッチ点の座標を検出できるという利点を持っている。
【０００４】
ただし、光学式座標検出器は、タッチ面に照射される光とタッチ面との間にわずかな距離がある。このため、オペレータがタッチをしていないにもかかわらず、光が照射される領域をペンや指が横切ったことによってタッチを検出する。実際にタッチがなされていない場合にタッチが検出されると、一般的に「尾引き」とよばれる現象が発生することがある。尾引きは、後述するように、文字の描画などにおいて特に問題とされる。
【０００５】
図１６(ａ)、(ｂ)は、尾引きの発生を説明するための図である。光学式座標検出器では、タッチ面１６０３に沿って光１６０２が照射される。(ａ)に示したように、タッチ面１６０３と光１６０２との間にはわずかな距離ｄがある。このため、光学式の座標検出装置は、実際にタッチなされていない場合にも、ペン１６０１がタッチ面１６０３に距離ｄより近づいた時点でタッチを検出する。ペン１６０１がタッチ面１６０３に近づいたことによってタッチが検出され、線が描画されてしまうおそれがある。
【０００６】
図１６(ｂ)は、松の文字を描画する際に発生した尾引きを示す図である。松の文字をタッチパネルで入力する場合、「木」の横線を描画した後に続けて縦線を描画する。このとき、ペン１６０１は、タッチ面１６０３から離れ、縦線の描画開始位置まで移動する間に光１６０２を遮ることがある。この結果、図中Ａに示すように、描画すべきでない線が描画される。また、「木」の縦線の描画後、ペン１６０１が次の描画開始位置に移動するまでに光１６０２を遮った場合には、図中Ｂに示す線が描画される。尾引きとは、Ａ、Ｂの箇所に示したように、タッチしていないにもかかわらずペン１６０１が光１６０２を遮ったことによって線が描画される現象を指す。尾引きは、文字の形を崩し、描画された文字を読み難くする。
【０００７】
座標検出装置で発生する尾引きをなくす技術として、タッチしたときに信号を出力するスイッチを持つ専用のペンを備えるタッチパネル付きディスプレイ装置がある。ただし、このようなタッチパネル付きディスプレイ装置は、専用ペン以外のもの、例えば指によってもタッチができるよう、ペンが出力した信号によってタッチを検出するモードと、信号を使わずに座標検出装置によってだけタッチを検出するモードとの両方を持つことが望ましい。従来のペンが出力した信号によってタッチを検出するタッチパネル付きディスプレイ装置は、装置の側にモードを切り換えるスイッチを備え、このスイッチを切り換えることによってタッチ検出のモードを切り換えている。
【０００８】
【発明が解決しようとする課題】
しかしながら、上記した従来のタッチパネル付きディスプレイ装置は、オペレータがタッチパネル付きディスプレイ装置本体に設けられたスイッチを切り換えることによってタッチ検出のモードを切り換えている。タッチパネルに対するタッチは、クリック操作（右クリック、左クリック、ダブルクリック）と同様に機能する。特に現在汎用的に使用されているソフトウェアではクリック操作を基本としているため、現在設定されているタッチ検出モードを誤ると、タッチしたにも関わらずディスプレイの表示を制御することができないとオペレータが認識し、故障であると考える可能性があるという不具合がある。
【０００９】
また、従来のタッチパネル付きディスプレイ装置は、タッチ検出のモードを切り換えるためにオペレータが装置に近づいてスイッチを操作することが必要であり、この操作がわずらわしいという欠点がある。
【００１０】
また、タッチパネル付きディスプレイ装置では、一般的にタッチがクリック操作として認識されるよう設定されている。このため、従来のタッチパネル付きディスプレイ装置では、ディスプレイ上のアイコンをフォーカスする場合、タッチ検出のモードを切り換える操作が必要になり、この操作によってプレゼンテーションの流れが妨げられるおそれがある。
【００１１】
さらに、タッチパネル付きディスプレイ装置には、表示だけの目的で使用する場合、あるいはプレゼンテーションの休憩時など、正規のオペレータ以外に操作される可能性が生じる場合がある。このような場合、正規のオペレータ以外のものがタッチパネル付きディスプレイ装置を操作すると、ディスプレイの内容が変更される、あるいは装置本体に保存されているファイルが消去される可能性さえある。
【００１２】
本発明は、上述の問題点を解決するために成されたものであり、尾引きを解消し、かつ、タッチを専用ペンの信号によって検出するモードと座標検出装置によって検出するモードを自動的に切り換え、現在設定されているタッチ検出のモードが誤認識されることを防ぐことができるタッチパネル付きディスプレイ装置を提供することを第１の目的とする。
【００１３】
また、本発明は、タッチを専用ペンの信号によって検出するモードと座標検出装置によって検出するモードとの切り換えが簡易なタッチパネル付きディスプレイ装置を提供することを第２の目的とする。
【００１４】
また、本発明は、タッチによってアイコンをフォーカスする操作をプレゼンテーションの流れを妨げることなく実行できるタッチパネル付きディスプレイ装置を提供することを第３の目的とする。
【００１５】
さらに、本発明は、正規のオペレータ以外がタッチパネル付きディスプレイ装置を操作することを防ぐことができるタッチパネル付きディスプレイ装置を提供することを第４の目的とする。
【００１６】
【課題を解決するための手段】
上記した課題を解決し、目的を達成するため、請求項１に記載の発明にかかるタッチパネル付きディスプレイ装置は、タッチ面と該タッチ面に対してタッチされた点の座標を光学的に検出する座標検出手段とを有するタッチパネルと、前記タッチ面のタッチに使用され、先端が前記タッチ面に接触している間にタッチペン信号を出力する信号出力手段を有するタッチペンと、前記信号出力手段によって出力された信号を受信する信号受信手段と、前記信号受信手段が受信したタッチペン信号と前記座標検出手段が検出した座標とに基づいてディスプレイ画面に表示される内容を制御する表示制御手段と、を備えてなり、前記表示制御手段は、前記信号受信手段が前記タッチペン信号の受信中に前記座標検出手段が検出した座標を有効とする一方、前記信号受信手段が前記タッチペン信号を受信していない間に前記座標検出手段が検出した座標を無効とするタッチペン制御モードで前記ディスプレイ画面の表示内容を制御し、所定の時間であるペンアウトタイム内に前記タッチペン信号が前記信号受信手段によって受信されない場合、前記信号受信手段による前記タッチペン信号の受信によらず前記座標検出手段が検出した座標を有効とする非タッチペン制御モードに移行することを特徴とする。
【００１７】
この請求項１に記載の発明によれば、タッチペンの先端がタッチ面に接触している間に入力された座標だけを制御に有効な座標とし、タッチペンの先端がタッチ面に接触していないときに入力された座標を無効としてディスプレイ画面に表示される内容を制御するとともに、タッチペンの先端が所定の時間以内にタッチ面に接触しなかった場合、タッチペン信号の受信によらず座標検出手段が検出した座標を有効とすることができる。
【００２０】
請求項２に記載の発明にかかるタッチパネル付きディスプレイ装置は、さらに、前記ペンアウトタイムを調整するペンアウトタイム調整手段を有することを特徴とする。
【００２１】
この請求項２に記載の発明によれば、ペンアウトタイムをユーザが好みに応じて調整することができる。
【００２２】
請求項３に記載の発明にかかるタッチパネル付きディスプレイ装置は、前記タッチペンがスイッチを有すると共に、前記スイッチの操作と同時に前記タッチペンの先端が前記タッチ面と接触した場合に前記信号出力手段が前記タッチペン信号と異なる信号を出力し、前記表示制御手段は、前記タッチペン信号と異なる信号が前記信号受信手段に受信された場合、前記座標検出手段によって検出された座標においてフォーカス操作が実行されたと判断することを特徴とする。
【００２３】
この請求項３に記載の発明によれば、タッチペンのスイッチの操作と同時にタッチペンの先端がタッチ面と接触した場合に出力される信号を、座標検出手段によって検出された座標におけるフォーカス操作に割り当てることができる。
【００２４】
請求項４に記載の発明にかかるタッチパネル付きディスプレイ装置は、前記スイッチを複数備え、複数のスイッチのうち少なくとも２つを同時に操作すると共に前記タッチペンの先端が前記タッチ面に接触した場合、前記表示制御手段は、前記ディスプレイ画面の制御モードを、前記座標検出手段によって検出された座標をすべて無効とするタッチパネル無効モードに設定する、または、前記タッチパネル無効モードを解除することを特徴とする。
【００２５】
この請求項４に記載の発明によれば、タッチペンの複数のスイッチのうち少なくとも２つを同時に操作すると共にタッチペンの先端をタッチ面に接触させる操作により、座標検出手段によって検出された座標をすべて無効とするタッチパネル無効モードを設定することができる。
【００２６】
請求項５に記載の発明にかかるタッチパネル付きディスプレイ装置は、前記表示制御手段が、前記タッチパネル無効モードで前記ディスプレイ画面を制御しているとき、タッチパネル無効モードであることを示すメッセージを前記ディスプレイ画面に表示することを特徴とする。
【００２７】
この請求項５に記載の発明によれば、タッチパネル無効モードの設定時、タッチパネル無効モードであることを示すメッセージをディスプレイ画面に表示することができる。
【００２８】
請求項６に記載の発明にかかるタッチパネル付きディスプレイ装置は、前記信号出力手段が、赤外線の信号を出力することを特徴とする。
【００２９】
この請求項６に記載の発明によれば、赤外線の信号をタッチパネル付きディスプレイ装置の制御信号に使用することができる。
【００３０】
【発明の実施の形態】
以下に添付図面を参照して、この発明にかかるタッチパネル付きディスプレイ装置の好適な実施の形態を詳細に説明する。
【００３１】
図１は、本発明の一実施の形態のタッチパネル付きディスプレイ装置の全体構成を説明するための図である。また、図２は、図１に示したタッチパネル付きディスプレイ装置のタッチパネルを示す図である。本実施の形態のタッチパネル付きディスプレイ装置は、ディスプレイ画面１０４を有する表示装置１０３を備えている。また、タッチ面１０２と、タッチ面１０２に対してタッチされた点を光学的に検出する光学式座標検出器２０３ａ、２０３ｂ、タッチされた点の座標を検出する座標検出装置１０５を有するタッチパネル１０１と、後述するタッチペンと、タッチペンによって出力された信号を受信するタッチ検出装置２０５と、タッチ検出装置２０５が受信したタッチペン信号と座標検出装置１０５が検出した座標とに基づいてディスプレイ画面１０４に表示される内容を制御するパーソナルコンピュータ（パソコン）１１５を有している。
【００３２】
ただし、本実施の形態では、タッチパネル１０１のタッチ面１０２がディスプレイ画面１０４の前面に重ねて設けられていて、タッチパネル１０１は、ディスプレイ画面１０４上のタッチされた点（タッチ点）を検出している。また、タッチ検出装置２０５は、ディスプレイ画面１０４の裏面に配置されていて、ディスプレイ画面１０４を透過したタッチペン信号を受信している。
【００３３】
上記した構成のうち、パソコン１１５は、タッチ検出装置２０５がタッチペン信号を受信している間に座標検出装置１０５が検出した座標を有効とする一方、タッチ検出装置２０５がタッチペン信号を受信していない間に座標検出装置１０５が検出した座標を無効とするタッチペン制御モードでディスプレイ画面１０４の表示内容を制御する。
【００３４】
なお、本明細書では、検出された座標をディスプレイ画面１０４の表示内容の制御に用いることを「検出した座標を有効とする」という。また、検出された座標をディスプレイ画面１０４の表示内容の制御において考慮しないことを「検出した座標を無効とする」というものとする。
【００３５】
座標検出装置１０５は、後述する光学式座標検出器のインターフェイスである左光学検出器Ｉ／Ｆ１１２ａ、右光学検出器Ｉ／Ｆ１１２ｂ、後述するタッチ検出装置２０５のインターフェイスである赤外線検出器Ｉ／Ｆ１１３、パソコン１１５とのインターフェイスであるホストＩ／Ｆ１１４、タッチパネル１０１の座標検出の構成を制御するプログラムが格納されるＲＯＭ１０７、作業データが一時的に格納されるＲＡＭ１０８、制御に使用される時間信号を生成するタイマ１０９、以上の構成を統括的に制御する中央演算装置（ＣＰＵ）１０６を備えている。
【００３６】
また、パソコン１１５は、Ｗｉｎｄｏｗｓ（登録商標）、ＭＡＣ（登録商標）、Ｌｉｎｕｘ（登録商標）などのＯＳの制御下で座標検出装置１０５が出力する座標の信号をＲＳ２３２Ｃ、あるいはＵＳＢを介して入力し、マウスデータに変換するドライバ１１０を備えている。変換されたマウスデータは、図示しないマウスＩ／Ｆに出力される。また、パソコン１１５は、マウスＩ／Ｆからマウスデータを入力し、座標、ボタンＯＮ情報によって予め座標に設定されている機能の実行、すなわち、特定の色、太さによる文字描画、図形描画、罫線描画などを実行するＡＰＬ１１１、ディスプレイ画面１０４に表示される画像が展開される画像ＲＡＭ１１６を備えている。なお、本実施の形態のディスプレイ画面１０４は、液晶画面、あるいはＰＤＰ画面であって、例えばＸ軸方向に１０２４画素、Ｙ軸方向に７６８画素を配置して構成される。
【００３７】
次に、図２を用い、タッチパネル１０１をより詳細に説明する。タッチパネル１０１は、図中に示す横方向の長さがＷ、縦方向の長さがＨの四角形のタッチ面１０２を有している。タッチ面１０２（ディスプレイ画面１０４に重なる）の横方向の１辺である辺２０４の両端には、光学式座標検出器２０３ａ、２０３ｂが備えられている。また、タッチ面１０２の光学式座標検出器２０３ａ、２０３ｂが設けられていない３辺に沿って再帰性反射部材２０１が設けられている。
【００３８】
ここで、簡単にタッチパネル１０１における座標の検出について説明する。光学式座標検出器２０３ａと２０３ｂとは、図示しない光源と例えば複数の受光素子で構成される受光部とを備えている。光源が発した光は、タッチ面１０２の全域に光源を要とする扇状に広がる。そして、再帰性反射部材２０１に対して入射時と同一の光軸を通って反射され、受光部に受光される。
【００３９】
タッチ面１０２上に指などの光を遮蔽するものがない場合、光源から発した光はすべての受光部に受光される。しかし、タッチ面１０２上のタッチ点ｔ（Ｘ，Ｙ）がタッチされると、受光部のうち、タッチ点ｔを通る反射光の光軸に対応する受光素子だけが光を受光することがない。このため、光を受光しない受光素子の位置から、光学式座標検出器２０３ａから放出されてタッチ点ｔを通る光の光軸と辺２０４とのなす角度θLが分かる。また、光学式座標検出器２０３ｂから放出されてタッチ点ｔを通る光の光軸と辺２０４とのなす角度θRが分かる。さらに、θL、θR、長さＷ、長さＨから、以下の式を使ってタッチ点ｔの座標(Ｘ，Ｙ)が分かる。
Ｘ＝Ｗ×ｔａｎθR／(ｔａｎθL＋ｔａｎθR)
Ｙ＝Ｈ−Ｗ×ｔａｎθL×ｔａｎθR／(ｔａｎθL＋ｔａｎθR)
【００４０】
光学式座標検出器２０３ａ、光学式座標検出器２０３ｂは、２０ｍｓ、あるいは１０ｍｓごとにタッチ面１０２上の光の遮蔽物を検出し、左光学検出器Ｉ／Ｆ１１２ａ、右光学検出器Ｉ／Ｆ１１２ｂを介して座標検出装置１０５に検出信号を入力する。座標検出装置１０５のＣＰＵ１０６は検出信号に基づいて演算し、座標を検出する。また、パソコン１１５は、座標検出装置１０５から入力した座標を示す信号をタッチ、停止、ドラッグ、デタッチ、ダブルクリックといったマウス信号に変換する。ディスプレイ画面１０４に表示される画像は、算出された座標やマウス信号にしたがって制御される。
【００４１】
さらに、本実施の形態のタッチパネル付きディスプレイ装置は、タッチ面１０２のタッチに使用され、先端がタッチ面１０２に押圧（接触）されている間にタッチペン信号を出力するタッチペンを備えている。そして、本実施の形態のタッチパネル１０１は、タッチペンが出力したタッチペン信号を受信するタッチ検出装置２０５を備えている。なお、本実施の形態のタッチペン信号は、赤外線の信号である。
【００４２】
図３は、タッチペン３０１を説明するための図である。タッチペン３０１は、スイッチＡ、スイッチＢ、スイッチＣの３つのスイッチと、スイッチ検出部３０２、赤外線信号発信部３０３を有している。スイッチ検出部３０２は、スイッチＡ、スイッチＢ、スイッチＣのうちいずれのスイッチが単独にまたは複数同時に押圧されたかを検出する。そして、検出された結果に応じて赤外線信号発信部３０３を制御し、スイッチが押圧されている間に赤外線信号を５ｍｓ間隔で発信する。信号は、図４に示すように、タッチ検出装置２０５に受信される。タッチ検出装置２０５は、受信したタッチペン信号（アナログ信号）をディジタルデータ化し、赤外線検出器Ｉ／Ｆ１１３を介して座標検出装置１０５に入力する。
【００４３】
スイッチＡ、スイッチＢ、スイッチＣのうち、スイッチＣは、タッチペン３０１の先端がタッチ面１０２に押圧されている間に赤外線信号発信部３０３からタッチペン信号となる赤外線信号を発信させるスイッチである。また、スイッチＡ、スイッチＢには、例えば右クリック、左クリックなどの機能が割り当てられる。
【００４４】
座標検出装置１０５は、光学式座標検出器２０３ａ、２０３ｂが検出した信号に基づいてタッチ点の座標を検出し、パソコン１１５に入力する。パソコン１１５は、タッチ検出装置２０５がスイッチＣの押圧によって発信するタッチペン信号の受信中に検出された座標を有効とする一方、タッチ検出装置２０５がタッチペン信号を受信していない間に検出された座標を無効としてディスプレイ画面の表示内容を制御する。このような表示の制御モードを、以降、タッチペン制御モードと記す。また、タッチペン制御モードに対し、タッチペン信号受信の有無によらず光学式座標検出器２０３ａ、２０３ｂが検出した座標を有効とする表示の制御モードを、本実施の形態では、非タッチペン制御モードと記す。
【００４５】
上記したタッチペン制御モードにより、本実施の形態のタッチパネル付きディスプレイ装置は、タッチペン３０１の先端がディスプレイ画面１０４に押圧されているときに検出された座標だけを有効とすることができる。このため、タッチペン３０１が光を遮ったもののディスプレイ画面１０４にタッチすることがなかった場合にタッチを検出することがなく、尾引きが発生することをなくすことができる。
【００４６】
また、座標検出装置１０５は、タッチペン信号が入力されなくなった場合、タッチペン信号が入力されない時間をタイマ１０９が生成する時間信号に基づいて計時する。そして、タッチペン信号が所定の時間以内にタッチ検出装置２０５で受信されなかった場合、タッチペン信号が所定の時間受信されなかったことをパソコン１１５に通知する。このとき、パソコン１１５は、タッチペン信号によらず検出された座標を有効とする非タッチペン制御モードに移行する。非タッチペン制御モードに移行する条件となるタッチペン信号が入力されない時間を、本実施の形態では、ペンアウトタイムと記すものとする。
【００４７】
以上述べた構成により、本実施の形態のタッチパネル付きディスプレイ装置は、タッチパネル１０１の制御を、自動的にタッチペン３０１を使うモードから光学式座標検出器だけを使うモードへ自動的に切り換えることができる。このため、オペレータがタッチパネル付きディスプレイ装置を操作することなく、タッチペン３０１を使用せずにタッチ入力が可能なモードに移行することができる。したがって、オペレータがタッチペンを使用するモードに設定されているために指などによるタッチ入力ができず、装置の故障と誤認識することを防ぐことができる。
【００４８】
また、本実施の形態のタッチパネル付きディスプレイ装置では、タッチペン３０１がスイッチＡ、スイッチＢを有し、スイッチＡ、スイッチＢの操作と同時にタッチペン３０１の先端がディスプレイ画面１０４と接触してスイッチＣが押圧されたとき、赤外線信号発信部３０３がタッチペン信号と異なる信号を出力する。以下、スイッチＡ、スイッチＢの操作と出力される赤外線の信号との関係について述べる。
【００４９】
図５(ａ)〜(ｇ)は、タッチペン３０１において押圧されたスイッチＡ、スイッチＢ、スイッチＣと、発信されるタッチペン信号との関係を示す図である。(ａ)〜(ｇ)の図では、縦軸は赤外線の強度を、横軸は時間を示している。(ａ)〜(ｇ)に示される各信号は、パルス幅１５００μｓの開始パルスＰsと以降に出力されるパルス幅５００μｓのパルスＰ0とを１組（図中Ｕで示す）とし、１組のパルスが６ｍｓごとに出力される。各信号は、開始パルスＰsと開始パルスＰsの次に出力されるパルスＰ0との時間間隔またはパルスＰ0間の時間間隔が互いに異なっている。パソコン１１５は、開始パルスＰsとパルスＰ0との時間間隔、あるいはパルスＰ0同士の時間間隔によって各信号を識別している。
【００５０】
図５のうち、(ａ)は、スイッチＡだけが押圧されたときに出力される信号を示している。また、(ｂ)は、スイッチＢだけが押圧されたときに出力される信号であって、(ｃ)はスイッチＣだけが押圧されたときに出力されるタッチペン信号である。また、(ｄ)は、スイッチＡとスイッチＢとを同時に押圧したときに出力される信号を示している。(ｅ)は、スイッチＡとスイッチＣとを同時に押圧したときに出力される信号を示していて、(ｆ)は、スイッチＢとスイッチＣとを同時に押圧したときに出力される信号を示している。スイッチＡ、Ｂ、Ｃのすべてが同時に押圧されると、(ｇ)に示す信号が出力される。以上の信号は、マウスの操作のいずれかに割り当てられる。
【００５１】
座標検出装置１０５は、図５(ａ)〜(ｇ)に示した信号を赤外線検出器Ｉ／Ｆ１１３を介して入力し、パソコン１１５に入力された信号の種別を通知する。パソコン１１５は、信号の種別からタッチパネル１０１にタッチがなされたと判断した場合、座標検出装置１０５が算出した座標を有効な座標と判断する。
【００５２】
そして、パソコン１１５は、座標を示す信号をドライバ１１０で右クリック、ダブルクリックなどのマウス信号に変換し、算出された座標において各信号に割り当てられたマウス操作がなされたものとしてディスプレイ画面１０４に表示される画面を制御する。
【００５３】
また、本実施の形態のタッチパネル付きディスプレイ装置は、ユーザが、スイッチＡ、スイッチＢの操作とマウスの操作との対応を任意に設定できる画面を有している。図６（ａ）、（ｂ）は、スイッチＡ、スイッチＢの操作をマウスの操作に割り当てて設定する画面（スイッチ設定画面）を示している。なお、本実施の形態のタッチパネルディスプレイ装置では、ペンアウトタイムの調整もユーザがスイッチ設定画面で調整することができる。
【００５４】
図６に示したスイッチ設定画面は、ペンアウトタイム設定部６０１、ペンスイッチ機能設定部６０２を有している。ペンアウトタイム設定部６０１では、ボタン６０１ａを図中の左右に移動させることによってタッチペン制御モードから非タッチペン制御モードに移行するまでの時間を調整することができる。このデフォルト値は、ディスプレイ画面１０４に文字を描画する場合の平均的な速度が２ｍ／秒、文字間の移動に必要な時間が１秒未満として決定する。
【００５５】
また、ペンスイッチ機能設定部６０２では、スイッチＡ、スイッチＢ、さらにスイッチＡとスイッチＢとを同時に操作する２スイッチにマウスのボタン操作を割り当てる。スイッチＡ、スイッチＢに割り当てられるマウスの操作は、例えば、右ボタン、中ボタン、ダブルクリック、クリックＯＦＦ、タッチＯＦＦ、無効などがある。なお、図６でいうスイッチＡの操作、スイッチＢの操作は、いずれもスイッチＣを押圧しながらなされる操作としてもよい。
各操作の内容は、以下の通りである。
右ボタン  マウス右ボタンＯＮをエミュレートする
中ボタン  マウス中ボタンＯＮをエミュレートする
ダブルクリック  １回のタッチでダブルクリックをエミュレートする
クリックＯＦＦ  タッチ操作によってポインタだけを移動する
タッチＯＦＦ  タッチパネルに対してなされたタッチを無効とする
無効  スイッチを無効とする
【００５６】
ところで、タッチパネルにおけるタッチペン３０１によるタッチは、一般的にマウスの左クリックの操作に割り当てられることが多い。また、Ｗｉｎｄｏｗｓ（登録商標）やＭＡＣ（登録商標）、Ｌｉｎｕｘ（登録商標）などの汎用的なＯＳでは、クリックの操作によってＡＰＬを実行するのが一般的である。このような設定では、例えば、図７（ａ）に示すように、「挿入」の欄にペンタッチすると、ページ番号、テキストボックス、オブジェクトといったプルダウンメニューが表示される。
【００５７】
タッチペン３０１によるタッチをクリック操作としたくない場合、本実施の形態では、スイッチ設定画面において、例えばＢスイッチを図６（ａ）に示したクリックＯＦＦに割り当てる。クリックＯＦＦは、タッチをクリックと認識することなく、カーソルを単にアイコンに合わせる、いわゆるフォーカス操作を実行する操作である。ＢスイッチにクリックＯＦＦを割り当てたことにより、タッチペン３０１のスイッチＢを押圧しながら「挿入」にタッチすると、「挿入」を選択してポップメニューを表示させることができる（図７（ｂ））。
【００５８】
さらに、本実施の形態のタッチパネル付きディスプレイ装置は、図６（ｂ）に示すように、例えば２スイッチにタッチＯＦＦを割り当てることができる。タッチＯＦＦとは、表示装置１０３の制御モードを、光学式座標検出器２０３ａ、２０３ｂによって検出された座標をすべて無効とする制御モードであるタッチパネル無効モードに移行する操作である。
【００５９】
すなわち、２スイッチにタッチＯＦＦが割り当てられた場合、本実施の形態のタッチパネル付きディスプレイ装置は、スイッチＡとスイッチＢとを同時に押圧しながらタッチペン３０１でディスプレイ画面１０４にタッチすることにより、タッチパネル１０１を使って入力ができないタッチパネル無効モードになる。また、タッチパネル無効モードの設定時にスイッチＡとスイッチＢとを同時に押圧しながらタッチペン３０１でディスプレイ画面１０４にタッチした場合、パソコン１１５は、タッチパネル無効モードを解除してタッチパネル１０１からの座標の入力を受けつけるモードにディスプレイ画面１０４の制御モードを切り換える。
【００６０】
タッチパネル無効モードは、タッチペン３０１を本来タッチパネル付きディスプレイ装置を操作すべきでない者が触れられない場所に保管しておくことにより、ディスプレイ画面に表示された内容がいたずらなどによって変更されることを防ぐモードである。このような機能は、例えば、タッチパネル付きディスプレイ装置のディスプレイ画面１０４を看板や掲示板のように使用する場合、あるいは、学校やプレゼンテーションの会場で休憩時間にディスプレイ画面の表示内容がいたずらされることを防ぐのに有効である。
【００６１】
また、タッチパネル無効モード時、本実施の形態のタッチパネル付きディスプレイ装置では、図８に示すように、タッチパネル無効モードであることを示すメッセージ８０１をディスプレイ画面１０４に表示する。メッセージを表示することにより、本実施の形態のタッチパネル付きディスプレイ装置は、タッチパネル無効モードの実行時に装置が故障であると誤判断されることを防ぐことができる。
【００６２】
次に、以上述べた本実施の形態のタッチパネル付きディスプレイ装置で行われる処理をフローチャートにして説明する。図９は、本実施の形態のタッチパネルディスプレイ装置で行われる座標検出を説明するためのフローチャートである。タッチパネルディスプレイ装置の座標検出装置１０５は、先ず、タッチパネル１０１がディスプレイ画面１０４上の座標を指示する座標指示物を検出したか否か判断する（ステップＳ９０１）。この判断の結果、座標指示物が検出されなかった場合（ステップＳ９０１：Ｎｏ）、検出されるまで待機する。
【００６３】
また、ステップＳ９０１で、座標指示物が検出されたと判断した場合（ステップＳ９０１：Ｙｅｓ）、座標指示物が指示する点、つまりタッチ点の座標を算出する（ステップＳ９０２）。そして、タッチペン３０１が発信する赤外線信号をタッチ検出装置２０５で検出する（ステップＳ９０３）。検出の結果、赤外線信号が検出され、タッチがなされたと判断した場合には（ステップＳ９０４：Ｙｅｓ）、タッチ座標としてステップＳ９０２で算出された座標をパソコン１１５に送出する（ステップＳ９０５）。
【００６４】
また、ステップＳ９０４において、タッチがなされていないと判断した場合（ステップＳ９０４：Ｎｏ）、座標検出装置１０５は、デタッチがなされたか否か判断する（ステップＳ９０６）。デタッチがなされていないと判断した場合（ステップＳ９０６：Ｎｏ）、座標指示物が移動、あるいは停止した移動／停止座標としてステップＳ９０２で算出された座標をパソコン１１５に送出する（ステップＳ９０７）。
【００６５】
また、ステップＳ９０６において、デタッチがなされたと判断した場合（ステップＳ９０６：Ｙｅｓ）、デタッチがなされたデタッチ座標としてステップＳ９０２で算出された座標をパソコン１１５に送出する（ステップＳ９０８）。
【００６６】
図１０（ａ）、（ｂ）は、以上述べたフローチャートに示す処理の結果、パソコン１１５に送出される情報のデータ構造を示す図である。情報は、（ａ）に示すように、座標ステータス、Ｘ座標、Ｙ座標の座標データを含んでいる。（ｂ）は、座標ステータスのデータ構造を具体的に示す図である。
【００６７】
図１１、図１２は、ホスト装置であるパソコン１１５の座標の制御処理を説明するためのフローチャートである。パソコン１１５は、タッチパネル１０１から出力された座標に関するデータを受信し、マウスデータに変換する。マウスデータは図示しないマウスＩ／Ｆに渡され、ＡＰＬ１１１のプログラムがマウスＩ／Ｆを介してマウスデータを受け取り、座標に設定されている機能を実行する。
【００６８】
起動時、本実施の形態のタッチパネル付きディスプレイ装置は、タッチペン制御モードに設定されている。パソコン１１５は、先ず、非タッチペン制御モードに移行する条件であるペンアウトタイムが経過したか否か判断する（ステップＳ１１０１）。この結果、ペンアウトタイムが経過したと判断した場合（ステップＳ１１０１：Ｙｅｓ）、ディスプレイ画面１０４を非タッチペン制御モードに設定し（ステップＳ１１０２）、ペンアウトタイムを計時するタイマを停止する（ステップＳ１１０３）。
【００６９】
次に、パソコン１１５は、タッチパネル１０１が座標データを入力したか否か判断する（ステップＳ１１０４）。この結果、座標データを入力していないと判断した場合（ステップＳ１１０４：Ｎｏ）、再度ペンアウトタイムが経過したか否か判断する（ステップＳ１１０１）。
【００７０】
また、ステップＳ１１０４において、座標データが入力されたと判断した場合（ステップＳ１１０４：Ｙｅｓ）、入力された座標データがタッチを示すタッチ座標であるか否か判断する（ステップＳ１１０５）。この結果、タッチ座標であると判断した場合には（ステップＳ１１０５：Ｙｅｓ）、タッチペン３０１の各スイッチに設定された機能や座標に関するデータ、さらにタッチペン３０１のスイッチのＯＮ、ＯＦＦの情報に基づく処理であるペンスイッチ制御を実行する（ステップＳ１１０６）。
【００７１】
また、ステップＳ１１０１において、ペンアウトタイムが経過していない場合には（ステップＳ１１０１：Ｎｏ）、タッチパネル１０１が座標データの入力がなされたか否か判断する（ステップＳ１１０４）。
【００７２】
ステップＳ１１０５において、入力された座標データがタッチを示すものでない場合（ステップＳ１１０５：Ｎｏ）、タッチパネル１０１がタッチパネル無効モードに設定されているか否か判断する（ステップＳ１１０７）。判断の結果、タッチパネル無効モードに設定されていた場合には（ステップＳ１１０７：Ｙｅｓ）、入力された座標をすべて無効としてステップＳ１１０１に戻る。
【００７３】
また、ステップＳ１１０７において、タッチパネル無効モードに設定されていない場合（ステップＳ１１０７：Ｎｏ）、ステップＳ１１０４で入力した座標データが移動／停止座標であるか否か判断する（ステップＳ１１０８）。そして、移動／停止座標であった場合（ステップＳ１１０８：Ｙｅｓ）、入力された座標が無効に設定されているか否か判断する（ステップＳ１１０９）。判断の結果、入力された座標が無効である場合（ステップＳ１１０９：Ｙｅｓ）、ステップＳ１１０１に戻る。一方、座標が無効に設定されていない場合（ステップＳ１１０９：Ｎｏ）、ディスプレイ画面１０４がタッチペン制御モードに設定されているか否か判断する（ステップＳ１１１０）。
【００７４】
ステップＳ１１１０において、タッチペン制御モードに設定されていると判断した場合（ステップＳ１１１０：Ｙｅｓ）、タッチペン３０１のスイッチＣが押圧（ＯＮ）されたか否か判断する（ステップＳ１１１１）。この判断の結果、ＣスイッチがＯＮされたと判断した場合（ステップＳ１１１１：Ｙｅｓ）、タッチペン制御モードを設定する（ステップＳ１１１２）。そして、ペンアウトタイムの計時を停止し（ペンアウトタイマ停止）（ステップＳ１１１３）、座標データに基づいて算出される座標においてクリック操作と同様にマウスの左ボタンＯＮがなされたとマウスＩ／Ｆに通知する（ステップＳ１１１４）。ステップＳ１１４の処理により、左ボタンＯＮのステータスが設定される（ステップＳ１１１５）。
【００７５】
ステップＳ１１１１において、スイッチＣがＯＮされていないと判断した場合（ステップＳ１１１１：Ｎｏ）、ステータスが左ボタンＯＮに設定されているか否か判断する（ステップＳ１１１６）。判断の結果、左ボタンＯＮに設定されていない場合（ステップＳ１１１６：Ｎｏ）、ステップＳ１１０１に戻る。また、左ボタンＯＮに設定されている場合には（ステップＳ１１１６：Ｙｅｓ）、座標検出装置１０５で算出された座標において左ボタンがＯＦＦされたことをマウスＩ／Ｆに通知する（ステップＳ１１１７）。そして、座標の入力を無効とするステータスに設定する（ステップＳ１１１８）。
【００７６】
ステップＳ１１１０において、ディスプレイ画面１０４に対するタッチが検出されていないと判断した場合（ステップＳ１１１０：Ｎｏ）、ステータスがダブルクリックに設定されているか否か判断する（ステップＳ１１１９）。判断の結果、ダブルクリックに設定されている場合には（ステップＳ１１１９：Ｙｅｓ）、入力した座標データに基づいて算出された座標において、マウスの左ボタンがＯＮされたとマウスＩ／Ｆに通知する（ステップＳ１１２０）。
【００７７】
ステップＳ１１１９においてステータスがダブルクリックに設定されていないと判断した場合（ステップＳ１１１９：Ｎｏ）、ステータスがクリックＯＦＦに設定されているか否か判断する（ステップＳ１１２１）。この判断の結果、クリックＯＦＦに設定されている場合には（ステップＳ１１２１：Ｙｅｓ）、マウスＩ／Ｆに算出された座標を通知する（ステップＳ１１２２）。この結果、クリックの操作が実行されず、タッチによって選択された機能を説明するポップメニューなどが表示される。
【００７８】
また、クリックＯＦＦに設定されていない場合（ステップＳ１１２１：Ｎｏ）、算出された座標において、マウスのいずれかのボタンがＯＮされたとステータスに基づいて判断し、マウスＩ／Ｆに通知する（ステップＳ１１２３）。
【００７９】
さらに、パソコン１１５は、ステップＳ１１０８において、座標データに基づいて算出された座標が移動／停止座標でないと判断した場合（ステップＳ１１０８：Ｎｏ）、この座標においてデタッチがなされたか否か判断する（ステップＳ１１２４）。デタッチがなされたのでないと判断した場合（ステップＳ１１２４：Ｎｏ）、ステップＳ１１０１に戻る。また、デタッチされたと判断した場合（ステップＳ１１２４：Ｙｅｓ）、ステータスがタッチペン制御モードに設定されているか否か判断する（ステップＳ１１２５）。タッチペン制御モードに設定されている場合（ステップＳ１１２５：Ｙｅｓ）、ペンアウトタイムの計時を開始し（ステップＳ１１２６）、ステータスがタッチパネル無効モードに設定されているか否か判断する（ステップＳ１１２７）。
【００８０】
また、ステップＳ１１２５においてタッチペン制御モードに設定されていないと判断された場合（ステップＳ１１２５：Ｎｏ）、ペンアウトタイムの計時を開始することなく、ステータスがタッチパネル無効モードに設定されているか否か判断する（ステップＳ１１２７）。そして、タッチパネル無効モードに設定されている場合（ステップＳ１１２７：Ｙｅｓ）、ステップＳ１１０１に戻る。
【００８１】
ステップＳ１１２７において、ステータスがタッチパネル無効モードに設定されていないと判断された場合（ステップＳ１１２７：Ｎｏ）、ステータスが入力された座標を無効とするモードに設定されているか判断する（ステップＳ１１２８）。判断の結果、座標を無効とするモードに設定されている場合（ステップＳ１１２８：Ｙｅｓ）、ステータスをアイドルに設定する（ステップＳ１１２９）。また、ステップＳ１１２８において、座標を無効とするモードに設定されていないと判断された場合（ステップＳ１１２８：Ｎｏ）、ステータスがクリックＯＦＦに設定されているか否か判断する（ステップＳ１１３０）。そして、クリックＯＦＦに設定されていた場合（ステップＳ１１３０：Ｙｅｓ）、ステータスをアイドルに設定する（ステップＳ１１３１）。
【００８２】
ステップＳ１１３０において、クリックＯＦＦに設定されていない場合（ステップＳ１１３０：Ｎｏ）、パソコン１１５は、ステータスがダブルクリックに設定されているか否か判断する（ステップＳ１１３２）。そして、ダブルクリックに設定されていた場合には（ステップＳ１１３２：Ｙｅｓ）、１回のタッチをダブルクリックの信号に変換するため、デタッチ時に左ボタンのＯＦＦがデタッチした座標においてなされたとマウスＩ／Ｆに通知し（ステップＳ１１３３）、続いて、左ボタンがＯＮしたとマウスＩ／Ｆに通知する（ステップＳ１１３４）。さらに、左ボタンのＯＦＦをマウスＩ／Ｆに通知し（ステップＳ１１３５）、ステータスをアイドルに設定する（ステップＳ１１３６）。
【００８３】
ステップＳ１１３２において、ステータスがダブルクリックに設定されていないと判断された場合（ステップＳ１１３２：Ｎｏ）、パソコン１１５は、算出された座標においてマウスのいずれかのボタンがＯＦＦされたとマウスＩ／Ｆに通知する（ステップＳ１１３７）。そして、ステータスをアイドルに設定し（ステップＳ１１３８）、ステップＳ１１０１に戻る。
【００８４】
図１３は、図１１、図１２に示したフローチャートによる処理の結果、マウスＩ／Ｆに通知される情報のデータ構造を示す図である。情報は、（ａ）に示すように、マウスステータス、Ｘ座標、Ｙ座標の座標データを含んでいる。（ｂ）は、マウスステータスのデータ構造を具体的に示す図である。
【００８５】
図１４、図１５は、ステップＳ１１０６のスイッチ制御サブルーチンを説明するためのフローチャートである。スイッチ制御サブルーチンでは、先ず、パソコン１１５は、タッチペン３０１がスイッチＡとスイッチＢとが同時に操作された２スイッチＯＮ状態であるか否か判断する（ステップＳ１４０１）。判断の結果、２スイッチＯＮであった場合（ステップＳ１４０１：Ｙｅｓ）、２スイッチＯＮの入力が無効であるか否か判断する（ステップＳ１４０２）。スイッチが無効である場合（ステップＳ１４０２：Ｙｅｓ）、ステップＳ１４２３においてスイッチＣのＯＮを検出する。
【００８６】
また、ステップＳ１４０２において、スイッチが無効でなかったと判断された場合（ステップＳ１４０２：Ｎｏ）、ステータスがタッチパネル無効に設定されているか判断する（ステップＳ１４０３）。そして、ステータスがタッチパネル無効モードでない場合（ステップＳ１４０３：Ｎｏ）、タッチパネルによる入力が無効であることを示すタッチパネル無効メッセージを表示し（ステップＳ１４０４）、ステータスをタッチパネル無効に設定する（ステップＳ１４０５）。
【００８７】
ステップＳ１４０３において、ステータスがタッチパネル無効モードに設定されていると判断された場合（ステップＳ１４０３：Ｙｅｓ）、タッチパネル無効メッセージを消去する（ステップＳ１４０６）。また、ステータスを座標無効に設定する（ステップＳ１４０７）。
【００８８】
また、ステップＳ１４０１において、２スイッチＯＮの状態でないと判断された場合（ステップＳ１４０１：Ｎｏ）、スイッチＡがＯＮされているか否か判断する（ステップＳ１４０８）。スイッチＡがＯＮされていた場合には（ステップＳ１４０８：Ｙｅｓ）、このスイッチが無効であるか否か判断する（ステップＳ１４１０）。また、スイッチＡがＯＮされていない場合（ステップＳ１４０８：Ｎｏ）、スイッチＢがＯＮされているか否か判断する（ステップＳ１４０９）。スイッチＢがＯＮされていない場合（ステップＳ１４０９：Ｎｏ）、ステップＳ１４２３においてスイッチＣのＯＮを検出する。
【００８９】
ステップＳ１４０９の判断で、スイッチＢがＯＮされていた場合（ステップＳ１４０９：Ｙｅｓ）、このスイッチが無効であるか否か判断する（ステップＳ１４１０）。スイッチが無効であった場合には（ステップＳ１４１０：Ｙｅｓ）、ステップＳ１４２３においてスイッチＣのＯＮを検出する。また、ステップＳ１４１０において、スイッチが無効でないと判断された場合（ステップＳ１４１０：Ｎｏ）、マウスの右ボタンがＯＮされたものとするかスイッチの設定に照らし合わせて判断し（ステップＳ１４１１）、右ボタンＯＮとする場合（ステップＳ１４１１：Ｙｅｓ）、入力された座標において右ボタンがＯＮされたとマウスＩ／Ｆに通知する（ステップＳ１４１２）。また、ステータスを右ボタンＯＮに設定する（ステップＳ１４１３）。
【００９０】
ステップＳ１４１１において、スイッチが右ボタンＯＮに設定されたものでないと判断された場合（ステップＳ１４１１：Ｎｏ）、マウスの中ボタンがＯＮされたものとするかスイッチの設定に照らし合わせて判断する（ステップＳ１４１４）。この判断の結果、スイッチが中ボタンＯＮに設定されていた場合には（ステップＳ１４１４：Ｙｅｓ）、入力された座標において中ボタンがＯＮされたとマウスＩ／Ｆに通知する（ステップＳ１４１５）。また、ステータスを中ボタンＯＮに設定する（ステップＳ１４１６）。
【００９１】
ステップＳ１４１４において、スイッチが中ボタンＯＮに設定されていないと判断された場合（ステップＳ１４１４：Ｎｏ）、ダブルクリックされたものとするかスイッチの設定に照らし合わせて判断する（ステップＳ１４１７）。この判断の結果、スイッチがダブルクリックに設定されていた場合には（ステップＳ１４１７：Ｙｅｓ）、入力された座標において左ボタンがＯＮされたとマウスＩ／Ｆに通知する（ステップＳ１４１８）。また、ステータスをダブルクリックに設定する（ステップＳ１４１９）。
【００９２】
ステップＳ１４１７において、スイッチがダブルクリックに設定されていないと判断された場合（ステップＳ１４１７：Ｎｏ）、クリックＯＦＦされたものとするかスイッチの設定に照らし合わせて判断する（ステップＳ１４２０）。この判断の結果、スイッチがクリックＯＦＦに設定されていた場合には（ステップＳ１４２０：Ｙｅｓ）、入力された座標をマウスＩ／Ｆに通知する（ステップＳ１４２１）。また、ステータスをクリックＯＦＦに設定する（ステップＳ１４２２）。
【００９３】
さらに、本実施の形態のタッチパネル付きディスプレイ装置は、ステップＳ１４０２において、スイッチが無効であると判断された場合、またはスイッチＡもスイッチＢもＯＮされていないと判断された場合にスイッチＣがＯＮされているか否か判断する（ステップＳ１４２３）。そして、スイッチＣがＯＮ状態であれば（ステップＳ１４２３：Ｙｅｓ）、ディスプレイ画面１０４の制御をディスプレイ画面１０４に対するタッチを検出するタッチペン制御モードに設定する（ステップＳ１４２４）。
【００９４】
タッチペン制御モードの設定後、パソコン１１５は、ペンアウトタイムの計時を停止する（ステップＳ１４２５）。座標検出装置１０５で算出された座標において左ボタンがＯＮされたことをマウスＩ／Ｆに通知する（ステップＳ１４２６）。そして、ステータスを左ボタンＯＮに設定して（ステップＳ１４２７）ステップＳ１４０１に戻る。
【００９５】
以上述べた本実施の形態のタッチパネル付きディスプレイ装置は、光学式座標検出器で発生する尾引きを防止し、かつ、ペンアウトタイムの間にタッチをしないことによってタッチペンが出力する信号によってタッチを検出するタッチペン制御モードと座表検出装置でタッチを検出するモードとを自動的に切り換えることができる。このため、オペレータがモード切り換えの操作をする必要がなく、プレゼンテーションを円滑に進行させることができる。また、タッチパネル付きディスプレイ装置に現在設定されている制御モードを誤って装置が動作しないと誤判断することを防ぐことができる。
【００９６】
また、本実施の形態のタッチパネル付きディスプレイ装置は、タッチ操作によってフォーカスの操作を実行できる。また、タッチパネル無効モードを設定し、タッチパネル付きディスプレイ装置が正規のオペレータ以外に操作されることを防ぐことができる。さらに、タッチパネル無効モードの設定中にもタッチパネル付きディスプレイ装置が正常に動作していることを外部に示すことができる。
【００９７】
【発明の効果】
以上説明したように、請求項１に記載の発明は、タッチペンの先端がタッチ面に接触している間に入力された座標だけを制御に有効な座標とし、タッチペンの先端がタッチ面に接触していないときに入力された座標を無効とするタッチペン制御モードで前記ディスプレイ画面の表示内容を制御することにより、光学式の座標検出における尾引きを解消することができ、タッチペンの先端が所定の時間以内にタッチ面に接触しなかった場合、タッチペン信号の受信によらず座標検出手段が検出した座標を有効とするため、タッチを専用ペンの信号によって検出するモードと座標検出装置によって検出するモードを自動的に切り換え、現在設定されているタッチ検出のモードが誤認識されることを防ぐことができ、また、モードの切り換え操作が簡易なタッチパネル付きディスプレイ装置を提供することができるという効果を奏する。
【００９９】
請求項２に記載の発明は、ユーザにとってより操作性の高いタッチパネル付きディスプレイ装置を提供することができるタッチパネル付きディスプレイ装置を提供することができるという効果を奏する。
【０１００】
請求項３に記載の発明は、タッチによってアイコンをフォーカスする操作をプレゼンテーションの流れを妨げることなく実行できるタッチパネル付きディスプレイ装置を提供することができるという効果を奏する。
【０１０１】
請求項４に記載の発明は、簡易な操作でタッチパネル無効モードを設定し、正規のオペレータ以外がタッチパネル付きディスプレイ装置を操作することを簡単に防ぐことができるタッチパネル付きディスプレイ装置を提供することができるという効果を奏する。
【０１０２】
請求項５に記載の発明は、タッチパネル無効モードの設定中、正常に動作していることを外部に示すことができるタッチパネル付きディスプレイ装置を提供することができるという効果を奏する。
【図面の簡単な説明】
【図１】本発明の一実施の形態のタッチパネル付きディスプレイ装置の全体構成を説明するための図である。
【図２】図１に示したタッチパネル付きディスプレイ装置のタッチパネルを示す図である。
【図３】本発明の一実施の形態のタッチペンを説明するための図である。
【図４】タッチ検出装置がタッチ信号を受信することを説明するための図である。
【図５】タッチペンのスイッチＡ、スイッチＢ、スイッチＣと、発信されるタッチペン信号との関係を示す図である。
【図６】タッチペンのスイッチの操作をマウスの操作に割り当てて設定する画面を説明するための図である。
【図７】（ａ）はタッチペンのクリック操作を説明するための図であり、（ｂ）はタッチペンのフォーカス操作を説明するための図である。
【図８】タッチパネル無効モードであることを示すメッセージを説明するための図である。
【図９】本発明の一実施の形態のタッチパネルディスプレイ装置で行われる座標検出を説明するためのフローチャートである。
【図１０】図９に示したフローチャートに示す処理の結果、送出される情報のデータ構造を示す図である。
【図１１】本発明の一実施の形態のタッチパネルディスプレイ装置で行われる座標検出を説明するための他のフローチャートである。
【図１２】本発明の一実施の形態のタッチパネルディスプレイ装置で行われる座標検出を説明するための他のフローチャートである。
【図１３】図１１、１２に示したフローチャートに示す処理の結果、送出される情報のデータ構造を示す図である。
【図１４】本発明の一実施の形態のタッチパネルディスプレイ装置で行われる座標検出を説明するための他のフローチャートである。
【図１５】本発明の一実施の形態のタッチパネルディスプレイ装置で行われる座標検出を説明するための他のフローチャートである。
【図１６】従来のタッチパネル付きディスプレイ装置で発生する尾引きを説明するための図である。
【符号の説明】
１０１  タッチパネル
１０２  タッチ面
１０３  表示装置
１０４  ディスプレイ画面
１０５  座標検出装置
１０６  ＣＰＵ
１０９  タイマ
１１０  ドライバ
１１２ａ  左光学検出器Ｉ／Ｆ
１１２ｂ  右光学検出器Ｉ／Ｆ
１１５  パソコン
２０１  再帰性反射部材
２０３ａ  光学式座標検出器
２０３ｂ  光学式座標検出器
２０４  辺
２０５  タッチ検出装置
３０１  タッチペン
３０２  スイッチ検出部
３０３  赤外線信号発信部
６０１  ペンアウトタイム設定部
８０１  メッセージ
【図１】
0004001758.tif 000002
【図２】
0004001758.tif 000003
【図３】
0004001758.tif 000004
【図４】
0004001758.tif 000005
【図５】
0004001758.tif 000006
【図６】
0004001758.tif 000007
【図７】
0004001758.tif 000008
【図８】
0004001758.tif 000009
【図９】
0004001758.tif 000010
【図１０】
0004001758.tif 000011
【図１１】
0004001758.tif 000012
【図１２】
0004001758.tif 000013
【図１３】
0004001758.tif 000014
【図１４】
0004001758.tif 000015
【図１５】
0004001758.tif 000016
【図１６】
0004001758.tif 000017